(57)【特許請求の範囲】
【請求項１】
缶口部に巻締固定され且つ飲み口部を備えた板状の金属製蓋体と、該蓋体の飲み口部を閉じるための樹脂製栓体とから成り、
前記蓋体の飲み口部周縁にはカール部が形成されており、前記樹脂製栓体は、天板部と、該天板部の周縁部から下方に延びている周状足部と、該周状足部の下端に形成され且つ外方に延びているフランジ部とを有していると共に、
前記周状足部の上部外面には係止突条が設けられており、
前記樹脂製栓体は下方から前記飲み口部内に嵌め込まれ、前記周状足部外面及び／又はフランジ部上面とカール部とが密着し且つ前記係止突条とカール部とが係止することにより、樹脂製栓体が飲み口部に固定され、
前記樹脂製栓体の天板部の外面には、その周縁に沿って一定間隔で配置された複数の突部が形成されており、これら突部の外側端部は、樹脂製栓体が飲み口部に嵌合固定されている状態で前記カール部の内周よりも外側に位置していることを特徴とする缶蓋。
【請求項２】
前記フランジ部からは先端が前記金属製蓋体の裏面にリベット止めされているバンド部が延びており、これにより、前記樹脂栓体は、金属製蓋体の裏面に揺動可能に支持されている請求項１に記載の缶蓋。
【発明の詳細な説明】
【０００１】
【発明の属する技術分野】
本発明は、缶蓋に関するものであり、特に飲料缶の開口部に設けられ、飲み口部を形成するためのスコアが形成されていない缶蓋に関する。
【０００２】
【従来の技術】
従来、アルミ缶に代表される金属缶は，各種飲料用の缶として広く使用されている。この様な飲料缶の缶蓋は、缶口部に巻締めにより固定されており、所定形状のスコアにより飲み口部が区画されており、スコアで区画されている部分に、金属製のタブがリベット止めされた構造となっているものがほとんどである。
即ち、このタブを手で持ち上げ或いは缶内に押し込むことにより、スコアを破断して飲み口を形成して缶内飲料を喫飲するというものである。
【０００３】
【発明が解決しようとする課題】
しかしながら、上述した従来公知の缶蓋では、スコアを破断して飲み口を形成する場合には、アルミニウム等の金属粉が発生し、この金属粉が缶内に落下して混入するという問題があり、衛生上、あまり望ましいものではない。特に、缶蓋がアルミニウムのような軟質の素材で形成されている場合には、金属粉の発生傾向が大きく、衛生上好ましくない。
またスコアの破断により飲み口を形成する場合には、鋭利な切り口が形成されるため、スコア破断時や喫飲時に不快感を与えるおそれもある。
【０００４】
従って本発明の目的は、スコアを設けることなく飲み口を形成することが可能であり、スコア破断による金属粉の発生や鋭利な切り口の形成が有効に防止された缶蓋を提供することにある。
【０００５】
【課題を解決するための手段】
本発明によれば、缶口部に巻締固定され且つ飲み口部を備えた板状の金属製蓋体と、該蓋体の飲み口部を閉じるための樹脂製栓体とから成り、
前記蓋体の飲み口部周縁にはカール部が形成されており、前記樹脂製栓体は、天板部と、該天板部の周縁部から下方に延びている周状足部と、該周状足部の下端に形成され且つ外方に延びているフランジ部とを有していると共に、
前記周状足部の上部外面には係止突条が設けられており、
前記樹脂製栓体は下方から前記飲み口部内に嵌め込まれ、前記周状足部外面及び／又はフランジ部上面とカール部とが密着し且つ前記係止突条とカール部とが係止することにより、樹脂製栓体が飲み口部に固定され、
前記樹脂製栓体の天板部の外面には、その周縁に沿って一定間隔で配置された複数の突部が形成されており、これら突部の外側端部は、樹脂製栓体が飲み口部に嵌合固定されている状態で前記カール部の内周よりも外側に位置していることを特徴とする缶蓋が提供される。
【０００６】
本発明の缶蓋では、樹脂栓体が金属製蓋体にあらかじめ形成されている飲み口部に嵌合固定されており、これを押し下げることによって容易に飲み口部を開放し、喫飲を行うことができる。従って、スコアの破断によって飲み口を形成するものではないから、アルミニウム等の金属粉を生じるおそれは全くなく、衛生性の点で極めて優れている。
また金属製蓋体に形成されている飲み口部の周縁にはカール部が形成されており、鋭利な切り口は存在しないため、喫飲等に際して使用者に不快感を与えるおそれも全くない。
【０００７】
また、本発明においては、樹脂製栓体の天板部の外面には、その周縁に沿って複数の突部が一定間隔で形成されている。これら突部の外側端部は、樹脂製栓体が飲み口部に嵌合固定されている状態で前記カール部の内周よりも外側に位置するように配置される。即ち、樹脂製栓体を押し込んで飲み口部を開放した場合、缶内に飲料が多量にある場合や缶を傾けて喫飲する際に、この栓体の天板部によって再び飲み口部が閉じられてしまうおそれがある。ところが、天板部の外面に上記のような突部を形成しておけば、この突部がカール部に当接し、これによって飲み口部が閉じられてしまうことを有効に防止できるという利点がある。
【０００８】
【発明の実施の形態】
本発明を、以下、添付図面に示す具体例に基づいて説明する。
図１は、本発明の缶蓋を缶口部と共に示す側断面図であり、図２は、その平面図、及び図３は、図１の缶蓋において、樹脂製栓体を押し下げて飲み口部を開放して喫飲する時の状態を示す側断面図であり、図４は、図１の缶蓋の樹脂製栓体とカール部との嵌合部を拡大して示す図である。
【０００９】
図１及び２において、この缶蓋は、金属製蓋体１と、樹脂栓体２とから構成されている。
金属製蓋体１は、金属缶５０の開口部に巻締め固定されており、さらに周縁部に近い部分に形成された飲み口部５を備えている。この飲み口部５の周縁部には、図示されているように、カール加工によってカール部６が形成されている。
一方、樹脂製栓体２は、天板部１０と、天板部１０の周縁部から下方に延びている周状足部１１と、周状足部１１の下端に形成された外方に延びているフランジ部１３とを備えており、フランジ部１３からはバンド部１４が延びており、バンド部１４の先端部分は、金属製蓋体１の裏面にリベット１６で止められている。即ち、この樹脂製栓体２は、金属製蓋体１の裏面に揺動可能に支持された構造となっている。
【００１０】
本発明において、周状足部１１の上端には係止突条１１ａが形成されており、この係止突条１１ａの外径Ｄは、カール部６の内径ｄよりも若干大きく設定されており（図３参照）、この周状足部１１がカール部６（飲み口部５）内に下側から嵌め込まれると、飲み口部５は、天板部１０によって完全に閉じられる。
また飲み口部５を閉じている天板部１０を完全に覆うようにして樹脂製カバー２０が設けられており、このカバー２０は、カール部６の上端部との係合により着脱自在となっている。
【００１１】
かかる構造の缶蓋においては、樹脂製カバー２０を取り外し、この状態で図３に示すように樹脂製栓体２を押し込むことにより、天板部１０がカール部６の下側に降下し、この結果、飲み口部５が開放され、喫飲が行われることになる。
【００１２】
このような本発明において、天板１０の外面には、その周縁部に沿って、複数個の突部２１が適当な間隔で形成される。即ち、図３に示されている様に、樹脂製栓体２が押し下げられて飲み口部５が開放されている状態において、金属製蓋体１の裏面に揺動自在に支持されているため、缶５０内の飲料が多量にある場合或いは缶５０を傾けて喫飲を行う場合には、この栓体２の揺動により、天板１０によって飲み口部５が再び閉じられてしまうことがある。しかるに、上記の様に突部２１を形成しておけば、この突部２１がカール部６の下側に当接するため、飲み口部５が天板１０によって閉じられてしまうというトラブルが有効に防止される。即ち、突部２１がカール部６の下側に当接した時にも、これら突部２１の間が飲料の流路となるからである。
【００１３】
従って、上記の説明からも理解されるように、複数個の突部２１は、押し下げられた栓体２が上昇した時にカール部６の下側に当接するような位置に形成しておくことが必要である。例えば、天板１０の周縁部よりもあまり内側に突部２１を形成してしまうと、突部２１がカール部６の下側に当接しなくなってしまうため、飲み口部５が閉じられてしまう。従って、周状に配置されたこれら突部２１の外側端部は、樹脂製栓体２を飲み口部５に嵌め込んだ状態で、前記カール部６の内周よりも外側に位置するように形成される。即ち、飲み口部５（カール部６）が円形である場合、天板１０も円形とし、上記突部２１も円形に配置されるが、突部２１の外側端部を結ぶ仮想円の径は、カール部６の内周円の径よりも大きく設定される。
【００１４】
また本発明において、栓体２の周状足部１１は、カール部６との嵌合部を形成するためのものであるから、その長さはカール部６の厚み程度の長さであればよい。さらに周状足部１１の上端に形成されている係止突条１１ａは、カール部６と係止するように構成されているが、同時に、図４に示されている様に、周状足部１１からフランジ部１３にかけて、カール部６の外面に沿った形状の凹部３０を形成しておくことが好ましい。これにより、飲み口部５内に嵌め込まれた栓体２の周状足部１１とカール部６とがしっかりと係合し、栓体２が安定に保持されると共に、十分なシール性を確保することができる。
【００１５】
また凹部３０には、特にフランジ部１３側に位置する面上に微小な突起３１を複数個形成しておくことが好ましい。このような微小突起３１を形成しておくことにより、カール部６と微小突起３１の先端に応力が集中するため、十分に高いシール性を確保することができる。特に、缶内飲料がコーラなどの炭酸飲料のように内圧を有するものの場合には、著しく高いシール性を確保できる。
さらに、このような微小突起３１に変えて、栓体２とは別体の軟質樹脂からなるシール材を凹部３０内に設けることも可能である。
【００１６】
さらに本発明においては、特に図４に明瞭に示されている様に、カール部６は、上向きにカールされていることが好適である。下向きにカールさせた構造では、塗料の塗布されていない先端部分６ａが缶内容液と接触するため、内容液を変質させる等のおそれがあるためである。
またカール部６の先端部分６ａは、内方に丸め込まれており、外部に露出していないように形成することが望ましい。この先端部分６ａが外部に露出していると、喫飲等に際して、使用者に不快感を与える危険性があるためである。
【００１７】
かかる本発明の缶蓋は、射出成形等により樹脂製栓体２を成形し、この樹脂製栓体２を、打ち抜き及びカール加工などにより形成された金属製蓋体１にリベット止めすることにより容易に製造され、この缶蓋は、飲料缶の開口部に巻締め固定することにより実用に供される。
【００１８】
この缶蓋において、樹脂栓体２を形成する素材としては、これに限定されるものではないが、例えばポリエチレン、ポリプロピレン、プロピレン−エチレン共重合体、プロピレン−ブテン１共重合体等のオレフィン樹脂、アクリロニトリル−スチレン−ブタジエン（ＡＢＳ）樹脂、耐衝撃性スチレン樹脂、アクリル樹脂、ナイロン樹脂等の各種プラスチックが使用され、特に高密度ポリエチレンやポリプロピレン等が好適に使用される。
また金属製蓋体１を形成する金属素材としては、表面未処理鋼（ブラックプレート）や表面処理鋼、アルミニウム等の軽金属が好適に使用される。表面処理鋼としては、鋼基質上に、リン酸処理、クロム酸処理等の化学処理、電解クロム酸処理等の化成処理、電解スズメッキ、電解亜鉛メッキ、電解クロムメッキ等の電解メッキ処理、溶融アルミニウム処理、溶融スズメッキ処理等の溶融メッキ処理を行ったものが挙げられる。これらの内でも、特にアルミニウムやアルミニウム合金が好適である。また金属製蓋体１の内面は、適当な保護塗料で塗装するのがよい。
【００１９】
尚、上述した具体例では、フランジ部１３から延びているバンド部１４を金属製蓋体１の裏面にリベット１６で止めている構造を示したが、必ずしも樹脂製栓体２をリベット１６等で固定する必要はない。ただし、栓体２が蓋体１に固定されていない場合には、喫飲の際に栓体２が反転してしまうおそれがあるため、フランジ部１３の下面に突部２１と同様の突部を複数個設けることが好ましい。
【００２０】
【発明の効果】
本発明の缶蓋では、金属製蓋体に予め飲み口が形成されており、飲み口を形成するためにスコアの破断は行われない。従って、スコア破断による金属粉の発生が全くなく、極めて衛生的である。
また、予め形成されている飲み口の周縁部にはカール部が形成されているため、鋭利な金属端部が形成されておらず、使用者に不快感等を与えるおれも全くない。
さらに、予め形成されている飲み口には、樹脂製栓体が嵌合固定されており、この栓体を押し込むことにより、飲み口を容易に開放することができる。
本発明の缶蓋は、特にコーラ等の炭酸飲料が充填されたアルミ製飲料缶の缶蓋として極めて有用である。
【図面の簡単な説明】
【図１】本発明の缶蓋を缶口部と共に示す側断面図。
【図２】図１の缶蓋の平面図。
【図３】図１の缶蓋において、樹脂製栓体を押し下げて飲み口部を開放して喫飲するときの状態を示す側断面図。
【図４】図１の缶蓋の樹脂製栓体とカール部との嵌合部を拡大して示す図。
【符号の説明】
１…金属製蓋体          ２…樹脂製栓体
５…飲み口部            ６…カール部
１０…天板部            １１…周状足部
１１ａ…係止突条        １３…フランジ部
１４…バンド部          ２０…樹脂製カバー
２１…突部              ３０…凹部
３１…微小突起          ５０…金属缶
【図１】
0004156077.tif 000002
【図２】
0004156077.tif 000003
【図３】
0004156077.tif 000004
【図４】
0004156077.tif 000005